(57)【特許請求の範囲】
【請求項１】
所定間隔毎に液体を吹き出すための小孔が設けられ、該小孔からの液体の吹き出しによって近傍領域の雪を溶かす消雪管の洗浄方法において、
前記消雪管の洗浄対象領域に存在する前記各小孔を閉塞する閉塞工程と、
前記閉塞工程の終了した消雪管の領域に対してその一端側から氷粒子と洗浄用水を含むシャーベット状の洗浄媒体を加圧導入し他端側から排出する洗浄媒体導入排出工程と、を含むことを特徴とする消雪管の洗浄方法。
【請求項２】
前記閉塞工程は、
前記各小孔に予め設けられている固有の閉塞手段によって閉塞可能な小孔については当該固有の閉塞手段によって当該小孔を閉塞し、
前記固有の閉塞手段によっては閉塞ができない小孔については別途準備した外付けの閉塞具によって当該小孔を閉塞することを特徴とする請求項１に記載の消雪管の洗浄方法。
【請求項３】
積雪地域における道路の積雪を溶かすために地面の表面から前記液体を吹き出すように設置された消雪管に対する請求項２に記載の消雪管の洗浄方法を適用するために用いられる前記閉塞具において、
前記消雪管の洗浄対象領域の各小孔を個々に閉栓する栓部材と、
該閉栓した状態の栓部材の上に被せて設置され、その重量で前記栓部材の閉栓状態を維持する錘体と、を含むことを特徴とする閉塞具。
【請求項４】
積雪地域における道路の積雪を溶かすために地面の表面から前記液体を吹き出すように設置された消雪管に対する請求項２に記載の消雪管の清浄方法を適用するために用いられる前記閉塞具において、
前記各小孔は、地表部分に設置されたノズル部材に形成されており、
前記ノズル部材に固定されるボルト部材と、
該ボルト部材に固定された状態で前記各小孔を塞ぐ閉塞蓋体と、を含むことを特徴する閉塞具。
【発明の詳細な説明】
【技術分野】
【０００１】
本発明は、消雪管の洗浄方法及びこれに用いる閉塞具、特に積雪地域における道路の積雪を溶かすために道路の表面から液体を吹き出すように設置された消雪管の洗浄方法及びこれに用いる閉塞具に関する。
【背景技術】
【０００２】
積雪地域では、道路の積雪を溶かすために、消雪管から水を散水している。消雪管は、道路に溝を穿設して溝底に配置され、消雪管から所定間隔で上方に分岐された分岐管の先端に消雪ノズルが連結されている。
【０００３】
消雪ノズルの噴射口（小孔）は、路面に露出するように設定され、消雪管に例えば地下水を流し、その地下水が消雪ノズルから路面上に散水されるようになっている（例えば、特許文献１参照）。消雪ノズルは、種々のタイプがあるが、いずれも散水する水量が固有の閉塞手段によって調整可能になっている（例えば、特許文献２）。
【０００４】
図４に、消雪ノズルの概略断面を示す。消雪ノズル１２の本体部１２ｂ内には、中間部材４０と開閉手段４２が設けられている。小孔（散水口）１２ａは、本体部１２ｂの頂面に形成されており、所定の角度で路上に散水するようになっている。円筒状の中間部材４０は、閉塞手段４２による散水量の調整を可能にするものであり、閉塞手段４２は円筒状の中間部材４０内で回転し、小孔１２ａへの水の流出量が調整できるようになっている。閉塞手段４２の回転は、閉塞手段４２の頂部に形成された凹溝４２ｂを用いて行う。閉塞手段４２の上部であって、中間部材４０内には、凹部４０ｂが形成されており、この凹部４０ｂ上に天蓋４４が被せられている。なお、矢印Ｍは、開口部４０ａ、４２ａを介して流れる水の流れを示す。また、開口部１２ｄは、消雪管１０の分岐管１０ａが挿入される開口部である。
【０００５】
一方、水道管や下水道管等の管路を洗浄する方法として、アイスピグ管内洗浄工法が知られている（非特許文献１）。これは、管路内に洗浄媒体として、氷粒子と水とを有するシャーベット状の流動体を注入し、管内でアイスピグを形成し、形成したアイスピグを水流で管内を移動させる方法である。アイスピグが管路内の堆積物等を削り取り、また夾雑物を取り込み移動することで管路内の洗浄が行われる。
【先行技術文献】
【特許文献】
【０００６】
【特許文献１】特開２００７−２９７８８５号公報
【特許文献２】特開２０１１−１６９０１１号公報
【非特許文献】
【０００７】
【非特許文献１】「アイスピグ管内洗浄工法」、アイスピグ研究会（http://www.icepig.org/）
【発明の概要】
【発明が解決しようとする課題】
【０００８】
消雪管内には、前述のように積雪上に散水するために地下水等が流される。長年の使用により消雪管内には砂等が堆積し、管壁には錆等が発生してくる。このような状況になると、消雪ノズルが砂や錆等により詰まり、散水できない不具合が発生する。したがって、消雪管は定期的に洗浄することが望ましいが、消雪管は径が小さく、効果的な洗浄方法がないため、そのまま放置していることが多かった。
【０００９】
消雪管に上記のアイスピグ管内洗浄工法を適用する場合、消雪ノズルの小孔（散水孔）を閉じないと洗浄媒体である氷粒子と水とを有するシャーベット状の流動体が流出して洗浄が行えない。また、消雪ノズルは、路面に露出しているため長年使用している間に車両等に踏まれ消雪ノズルの固有の閉塞手段によって閉塞できないものもある。消雪管にアイスピグ管内洗浄工法を適用しようとした場合、上述のように固有の閉塞手段によって閉塞できない状況があり、簡単に消雪ノズルの小孔を閉塞する手段がなかったため、これまでアイスピグ管内洗浄法は消雪管には適用されていなかった。
【００１０】
本発明は、上記課題に鑑みてなされたものであり、その目的は、消雪管にアイスピグ管内洗浄工法を適用することを可能とする消雪管の洗浄方法とそれに用いる閉鎖具を提供することにある。
【課題を解決するための手段】
【００１１】
上記の目的を達成するため、請求項１に記載の消雪管の洗浄方法は、所定間隔毎に液体を吹き出すための小孔が設けられ、該小孔からの液体の吹き出しによって近傍領域の雪を溶かす消雪管の洗浄方法において、前記消雪管の洗浄対象領域に存在する前記各小孔を閉塞する閉塞工程と、前記閉塞工程の終了した消雪管の領域に対してその一端側から氷粒子と洗浄用水を含むシャーベット状の洗浄媒体を加圧導入し他端側から排出する洗浄媒体導入排出工程と、を含むことを特徴とする。
【００１２】
この方法によれば、消雪管は閉塞工程において小孔が閉塞され、次いでシャーベット状の洗浄体が消雪管の一端側から加圧導入され、他端側から排出される。消雪管の小孔が閉塞されているので、消雪管に加圧導入された氷粒子と洗浄用水を含むシャーベト状の洗浄媒体を、散水用の小孔から流出することなく、対象領域の一端側から他端側へ消雪管内を移動させることができる。これにより、消雪管のシャーベット状の洗浄媒体による洗浄が可能となっている。
【００１３】
請求項２に記載の消雪管の洗浄方法は、請求項１に記載の消雪管の洗浄方法において、前記閉塞工程は、前記各小孔に予め設けられている固有の閉塞手段によって閉塞可能な小孔については当該固有の閉塞手段によって当該小孔を閉塞し、前記固有の閉塞手段によっては閉塞ができない小孔については別途準備した外付けの閉塞具によって当該小孔を閉塞することを特徴とする。
【００１４】
この方法により、固有の閉塞手段により小孔が閉塞できる場合には固有の閉塞手段が用いられ、固有の閉塞手段により閉塞できない場合には別途閉塞具が準備される。したがって、閉塞具は必要最小限準備すればよく、閉塞工程における閉塞作業の短縮化が図れる。
【００１５】
上記の目的を達成するため、請求項３に記載の閉塞具は、積雪地域における道路の積雪を溶かすために地面の表面から前記液体を吹き出すように設置された消雪管に対する請求項２に記載の消雪管の洗浄方法を適用するために用いられる前記閉塞具において、前記消雪管の洗浄対象領域の各小孔を個々に閉栓する栓部材と、該閉栓した状態の栓部材の上に被せて設置され、その重量で前記栓部材の閉栓状態を維持する錘体と、を含むことを特徴とする。
【００１６】
この構成により、消雪管の小孔は、栓部材により閉栓された後に、錘体で閉栓状体が維持される。したがって、小孔は栓部材と錘体により簡単に閉塞状態が確保され、洗浄媒体導入排出工程において、小孔から洗浄媒体が流出することを防止することができる。また、洗浄作業終了後は、閉塞具を簡単に撤去することが可能である。
【００１７】
請求項４に記載の閉塞具は、積雪地域における道路の積雪を溶かすために地面の表面から前記液体を吹き出すように設置された消雪管に対する請求項２に記載の消雪管の清浄方法を適用するために用いられる前記閉塞具において、前記各小孔は、地表部分に設置されたノズル部材に形成されており、前記ノズル部材に固定されるボルト部材と、該ボルト部材に固定された状態で前記各小孔を塞ぐ閉塞蓋体と、を含むことを特徴する。
【００１８】
各小孔は、ノズル部材に形成されており、ノズル部材の頂面の中央部には、前述のように凹部が形成されている。この凹部は、小孔からの散水量を調整するための閉塞手段を回転可能に保持する中間部材の上部に設けられている。
【００１９】
この構成により、まずボルト部材が、ノズル部材の上記凹部に固定される。次いで、各小孔を塞ぐ閉塞蓋体がボルト部材に固定される。したがって、小孔は閉塞蓋体がボルト部材に固定された状態で閉塞されるので、より堅固に小孔の閉塞状態を維持することができ、洗浄媒体導入排出工程において、小孔から洗浄媒体が流出することを防止することができる。
【発明の効果】
【００２０】
本発明の消雪管の洗浄方法及びこれに用いる閉塞具によれば、積雪を溶かすための液体の吹き出しが行われる消雪管は、洗浄対象領域に存在する小孔が簡単な構成の閉塞具によって的確に塞がれて、洗浄用水を含むシャーベット状の洗浄媒体が加圧導入され排出される。したがって、消雪管をシャーベット状の洗浄媒体により洗浄することが可能となり、小孔の詰まり防止や消雪管の長寿命化につながる。
【図面の簡単な説明】
【００２１】
【図１】本発明の消雪管の洗浄方法に係る説明図である。
【図２】本発明の閉塞具の第１の実施の形態に係り、閉塞具の概略部分断面図を示す。
【図３】本発明の閉塞具の第２の実施の形態に係り、閉塞具の概略部分断面図を示す。
【図４】消雪ノズルの概略断面図である。
【発明を実施するための形態】
【００２２】
本発明の実施の形態を、以下図面を参照しながら詳述する。図１は、本発明の消雪管の洗浄方法の実施の形態に係り、洗浄方法を説明する概略全体図である。
【００２３】
消雪管１０は、道路の中央部分に設けられ、所定の散水角度で地下水等が散水され、上り車線及び下り車線に積もった雪を溶かすようになっている。消雪管１０は、道路に溝を穿設し、その溝の底部に配置される。消雪管１０には、所定間隔Ｐで消雪管１０から上方に分岐された分岐管１０ａの先端に消雪ノズル１２が取り付けられている。各消雪ノズル１２の小孔（噴射口、散水口）は路面に露出され、かつ路面と略面一に設定されている。
【００２４】
消雪管１０には、積雪に散水する地下水等を送る送水管（図示していない）が連結され、消雪管１０には端部に排泥ドレン１４が設けられている。消雪管１０に流入する地下水等の流量は、送水管と消雪管１０との接続部に設けられた流量調整弁（図示していない）により行うことが可能である。
【００２５】
各消雪ノズル１２には、小孔（散水口）１２ａが複数個設けられており、散水量を調整できるように固有の閉塞手段４２が設けられている。この閉塞手段４２は、具体的には、開閉弁であり、弁を閉じることで散水量は零となる。本実施の形態では、散水口は４個のものを用いている。
【００２６】
固有の閉塞手段４２である開閉弁は、消雪ノズルの頂面が前述のように道路の路面に露出しているため、長年の使用により、例えば、車両が乗り上げること等により操作が不可能になることがある。本発明の消雪管の洗浄方法では、消雪ノズル１２の散水口を塞ぐことが必要であるが、固有の閉塞手段４２により閉塞できる場合は、それによって閉塞するが、不可能な場合は、以下で述べる閉塞具２２又は３０を使用する。
【００２７】
図２は、本発明の消雪管の洗浄方法の閉塞工程で使用する閉塞具に係り、第１の実施の形態に係る閉塞具の概略部分断面図を示す。図２の閉塞具２２は、消雪ノズル１２の４つの散水口１２ａを栓部材であるゴム栓２４でそれぞれ塞ぎ、次に４つの散水口１２ａを全て覆うような錘体２６を消雪ノズル１２の頂面に載置する。錘体２６は、角部が削られた略円柱状の形状を有している。錘体２６の底面には、消雪ノズル１２の天蓋４４を取り外した凹部にちょうど嵌合するように凸部２６ａが形成され、錘体２６が容易に動かないようになっている。このように、散水口１２ａをゴム栓２４で塞ぎ、錘体２６を載置することで、消雪管１０を流れる洗浄媒体である氷と水とを有するシャーベット状の流動体が散水口１２ａから流出することが防止され、管内をシャーベット状の流動体で洗浄することが可能となる。
【００２８】
図３は、本発明の消-雪管の洗浄法の閉塞工程で使用する閉塞具に係り、第２の実施の形態に係る閉塞具の概略部分断面図を示す。この閉塞具３０は、消雪ノズル１２に固定されるボルト部材３２と、４つの散水ノズル１２ａを塞ぐパッキン３６と、パッキン３６の上からボルト部材３２に固定される閉塞蓋体３８を有する。ここで、パッキン３６は概念上、閉塞蓋体３８に含まれるものである。
【００２９】
ボルト部材３２は銅リング３４が途中に固定され、ボルト部材３２の先端は消雪ノズル１２閉塞手段４２の凹部４０ｂに嵌合される。そして、銅リング３４は、天蓋４４を取り外した凹部に嵌合される。この状態で銅リング３４を、ナット部材４０を締め付けることにより、銅リング３４を上記凹部内で拡径させ、反力を得るようにする。その後、４つの散水ノズル１２ａを塞ぐパッキン３６を被せ、パッキン３６の上から閉塞蓋体３８をナット部材４０で締め付け固定する。閉塞蓋体３８とナット部材４０との間にはワッシャ４２を挿入してナット部材４０の緩みを防止している。パッキン３６は、例えばゴム部材で形成された平板である。閉塞蓋体３８は、上部に行くに従って直径が小さくなる円盤状のものを用いている。材質は金属であるが、プラスチック材料で形成しても良い。消雪ノズル１２の散水口１２ａは、閉塞蓋体３８をナット部材４０で締め付けることにより、パッキン３６により完全に封止され、散水口１２ａから氷と水とを有するシャーベット状の流動体が流出することを防ぐことができる。
【００３０】
第２の実施の形態に係る閉塞具３０は、第１の実施の形態の閉塞具２２と比べると、ボルト部材３２とナット部材４０を使用し、銅リング３４を、消雪ノズル１２の天蓋４４を取り外した後の凹部を利用して拡径させ、閉塞蓋体３８をナット部材４０で固定しているので、小孔（散水口）１２ａがより確実に閉塞され、閉塞具３０は消雪ノズル１２により堅固に固定されることとなる。
【００３１】
閉塞具により閉塞工程が終了したら、図１に示すように、消雪管１０の一方の排泥ドレン１４近傍に、氷と水とを有するシャーベット状の流動体を消雪管１０に加圧注入するデリバリユニット１６を配置する。他方の排泥ドレン１４近傍に、流動体を回収する回収車１８を配置する。デリバリユニット１６と排泥ドレン１４、回収車１８と排泥ドレン１４との間は、ホース２０により接続される。なお、送水管（図示していない）と消雪管１０との接続部に設けられた流水調整弁は閉状態とし、消雪管１０への送水は停止した状態にする。
【００３２】
デリバリユニット１６から、所定の氷と水とを有するシャーベット状の流動体を消雪管１０内に注入する。所定の長さ注入したら、デリバリユニット１６を操作して、水だけを注入し、消雪管１０内で流動体を移動させる。シャーベット状の流動体は、消雪ノズル１２のある箇所では、消雪ノズル１２内へも流入するが、散水口１２ａが閉じられているので、流動体が消雪ノズル１２から流出することが防止される。したがって、シャーベット状の流動体は矢印５０の方向へ円滑に移動することができ、管内の堆積物５２を取り除くことができる。特に、氷粒子により消雪管１０の内壁の堆積物５２が効率良く削られるので、管路の効果的な洗浄が可能である。流動体が他方の排泥ドレン１４に到達したら、回収車１８により流動体を回収して洗浄作業が終了する。
【００３３】
なお、洗浄媒体として、氷粒子と水とを有するシャーベット状の流動体を用いたが、氷粒子と水との比率は３：７程度とした。消雪管１０のサイズや汚れに応じて、その比率は自由に変えることができる。氷粒子の比率を大きくすれば洗浄能力は向上するが管路内を移送する際の流動抵抗が大きくなる。更に、上記の実施の形態では、流動体の後から水を注入して、流動体を移動させるようにしたが、水を用いずに流動体のみを注入し続けても良い。また、流動体の流動速度等も洗浄する消雪管に応じて任意に変えることができる。
【００３４】
消雪管１０を氷粒子と水とを有するシャーベット状の流動体にて洗浄した後、閉塞具２２又は３０を用いて小孔（散水口）を塞いだ消雪ノズル１２については、閉塞具２２又は３０を取り外す必要がある。この取り外しは、閉塞具２２については、載置してある錘体２６を取り外し、小孔１２ａを塞いだゴム栓２４を取り除くだけで足り、閉塞具２２の取り外しを簡単に行うことができる。また、閉塞具３０についても、閉塞蓋体３８を固定しているナット部材４０を外し、閉塞蓋体３８とパッキン３６を取り除く。そして、銅リング３４を拡径させたナット部材４０を取り外し、その後、銅リング３４をボルト部材３２と共に取り外すことで閉塞具３０の取り外しが完了する。なお、消雪ノズル１２の固有の閉塞手段４２にて小孔１２ａを閉塞した場合は、閉塞手段４２を操作して小孔１２ａの閉塞を解除する。
【００３５】
このように、消雪管１０を氷粒子と水とを有するシャーベット状の流動体にて洗浄した後、閉塞具２２又は３０の取り外しは簡単に行うことができ、その後通常通り散水を開始して路上に積もった雪を溶かすことができる。
【００３６】
本実施の形態によれば、消雪管１０に取り付けられている消雪ノズル１２の散水口１２ａが固有の閉塞手段４２により閉塞できない場合、閉塞具２２又は３０により閉塞し（閉塞工程）、その後、氷粒子と水とを有するシャーベット状の流動体を消雪管１０内に導入し排出するようした（洗浄媒体導入排出工程）ので、これまで洗浄出来なかった消雪管１０を氷粒子と水とを有するシャーベット状の流動体により洗浄することが可能になった。洗浄後、消雪ノズル１２小孔１２ａの詰まり等は見られず、また消雪管１０の耐久性が向上した。
【００３７】
なお、本発明は、本実施の形態に限定されることはない。本発明の趣旨を逸脱しない範囲で種々の変更が可能である。例えば、閉塞具の第１の実施の形態では、角部を削った略円柱状の錘体２６を用いたが、その形状は任意で良い。また、閉塞具の第２の実施の形態では、閉塞蓋体３８は上部に行くに従って直径が小さくなる円盤状のものを用いたが単なる平板であっても良い。更に、消雪ノズル１２の小孔１２ａは、４つのものを例示したが、その数は任意で良い。
【符号の説明】
【００３８】
１０  消雪管
１２  消雪ノズル
１２ａ  散水口（小孔）
１４  排泥ドレン
１６  デリバリユニット
１８  回収車
２０  シャーベット状の流動体
２２、３０  閉塞具
２４  栓部材（ゴム栓）
２６  錘体
３２  ボルト部材
３４  銅リング
３６  パッキン
３８  閉塞蓋体
５２  堆積物等
【図１】
0006458993.tif 000002
【図２】
0006458993.tif 000003
【図３】
0006458993.tif 000004
【図４】
0006458993.tif 000005